(57)【要約】    【課題】  全体が小型でかつ広画角でありながら、物体距離全般にわたり高い光学性能が容易に得られるズームレンズを得ること。    【解決手段】  物体側から像側へ順に配置された、負の屈折力の第１レンズ群、正の屈折力の第２レンズ群、正の屈折力の第１部分群、負の屈折力の第２部分群、正の屈折力の第３部分群を有し、広角端に比べて望遠端において、第１レンズ群と第２レンズ群の間隔が短くなり、ズーミングに際して隣り合うレンズ群の間隔が変化するズームレンズにおいて、無限遠から最至近距離へのフォーカシングに際して、第１部分群は物体側へ移動し、第２部分群は像側へ移動し、広角端から望遠端へのズーミングにおける第１レンズ群の移動量Ｍ１、広角端から望遠端へのズーミングにおける第２レンズ群の移動量Ｍ２を各々適切に設定する。【選択図】    図１
2018005165.tif 000002
【特許請求の範囲】
【請求項１】
物体側から像側へ順に配置された、負の屈折力の第１レンズ群、正の屈折力の第２レンズ群、正の屈折力の第１部分群、負の屈折力の第２部分群、正の屈折力の第３部分群を有し、広角端に比べて望遠端において、前記第１レンズ群と前記第２レンズ群の間隔が短くなり、ズーミングに際して隣り合うレンズ群の間隔が変化するズームレンズにおいて、
無限遠から最至近距離へのフォーカシングに際して、前記第１部分群は物体側へ移動し、前記第２部分群は像側へ移動し、広角端から望遠端へのズーミングにおける前記第１レンズ群の移動量をＭ１、広角端から望遠端へのズーミングにおける前記第２レンズ群の移動量をＭ２とするとき、
０．００＜Ｍ１／Ｍ２＜１．００
なる条件式を満足することを特徴とするズームレンズ。
【請求項２】
無限遠から最至近距離へのフォーカシングにおける前記第２部分群の移動量をＭｆＦＮ、無限遠から最至近距離へのフォーカシングにおける前記第１部分群の移動量をＭｆＦＰ１とするとき、
−１．００＜ＭｆＦＰ１／ＭｆＦＮ＜０．００
なる条件式を満足することを特徴とする請求項１に記載のズームレンズ。
【請求項３】
前記第１部分群の焦点距離をｆＰ１、前記第２部分群の焦点距離をｆＮとするとき、
−１．８０＜ｆＰ１／ｆＮ＜−０．３０
なる条件式を満足することを特徴とする請求項１又は２に記載のズームレンズ。
【請求項４】
前記第２部分群の焦点距離をｆＮ、前記第３部分群の焦点距離をｆＰ２とするとき、
−２．００＜ｆＰ２／ｆＮ＜−０．５０
なる条件式を満足することを特徴とする請求項１乃至３のいずれか１項に記載のズームレンズ。
【請求項５】
前記第１部分群の焦点距離をｆＰ１、前記第３部分群の焦点距離をｆＰ２とするとき、０．４０＜ｆＰ２／ｆＰ１＜１．２０
なる条件式を満足することを特徴とする請求項１乃至４のいずれか１項に記載のズームレンズ。
【請求項６】
無限遠にフォーカスしているときの、広角端における前記第２部分群と前記第３部分群の光軸上の間隔をＤＷ４、広角端における全系の焦点距離をｆＷとするとき、
０．１０＜ＤＷ４／ｆＷ＜１．００
なる条件式を満足することを特徴とする請求項１乃至５のいずれか１項に記載のズームレンズ。
【請求項７】
無限遠にフォーカスしているときの、広角端における前記第２レンズ群と前記第１部分群の光軸上の間隔をＤＷ２、広角端における全系の焦点距離をｆＷとするとき、
０．１０＜ＤＷ２／ｆＷ＜１．００
なる条件式を満足することを特徴とする請求項１乃至６のいずれか１項に記載のズームレンズ。
【請求項８】
前記第１レンズ群の焦点距離をｆ１、前記第２レンズ群の焦点距離をｆ２とするとき、−１．５０＜ｆ１／ｆ２＜−０．６０
なる条件式を満足することを特徴とする請求項１乃至７のいずれか１項に記載のズームレンズ。
【請求項９】
広角端における全系の焦点距離をｆＷとするとき、
−１．５０＜Ｍ１／ｆＷ＜−０．２０
なる条件式を満足することを特徴とする請求項１乃至８のいずれか１項に記載のズームレンズ。
【請求項１０】
広角端から望遠端へのズーミングにおける前記第１部分群の移動量をＭＦＰ１とするとき、１．００＜Ｍ２／ＭＦＰ１＜１．５０
なる条件式を満足することを特徴とする請求項１乃至９のいずれか１項に記載のズームレンズ。
【請求項１１】
広角端から望遠端へのズーミングにおける前記第２部分群の移動量をＭＦＮ、広角端から望遠端へのズーミングにおける前記第３部分群の移動量をＭＦＰ２とするとき、
−１２．００＜ＭＦＮ／ＭＦＰ２＜−２．００
なる条件式を満足することを特徴とする請求項１乃至１０のいずれか１項に記載のズームレンズ。
【請求項１２】
前記第２部分群の最も物体側のレンズ面の曲率半径をＦＮＲ１、前記第２部分群の最も像側のレンズ面の曲率半径をＦＮＲ２とするとき、
１．００＜（ＦＮＲ２＋ＦＮＲ１）／（ＦＮＲ２−ＦＮＲ１）＜１５．００
なる条件式を満足することを特徴とする請求項１乃至１１のいずれか１項に記載のズームレンズ。
【請求項１３】
前記第１部分群の最も物体側のレンズ面の曲率半径をＦＰ１Ｒ１、前記第１部分群の最も像側のレンズ面の曲率半径をＦＰ１Ｒ２とするとき、
０．２０＜（ＦＰ１Ｒ２＋ＦＰ１Ｒ１）／（ＦＰ１Ｒ２−ＦＰ１Ｒ１）＜５．００
なる条件式を満足することを特徴とする請求項１乃至１２のいずれか１項に記載のズームレンズ。
【請求項１４】
前記第３部分群の最も物体側のレンズ面の曲率半径をＦＰ２Ｒ１、前記第３部分群の最も像側のレンズ面の曲率半径をＦＰ２Ｒ２とするとき、
０．２０＜（ＦＰ２Ｒ２＋ＦＰ２Ｒ１）／（ＦＰ２Ｒ２−ＦＰ２Ｒ１）＜３．００
なる条件式を満足することを特徴とする請求項１乃至１３のいずれか１項に記載のズームレンズ。
【請求項１５】
前記ズームレンズは開口絞りをさらに有し、広角端における前記開口絞りから像面までの光軸上の距離をＤＳＩＰ、広角端における前記開口絞りから前記第１部分群の物体側のレンズ面までの光軸上の距離をＤＳＰ１とするとき、
０．０５＜ＤＳＰ１／ＤＳＩＰ＜０．６０
なる条件式を満足することを特徴とする請求項１乃至１４のいずれか１項に記載のズームレンズ。
【請求項１６】
前記ズームレンズは開口絞りをさらに有し、広角端における前記開口絞りから像面までの光軸上の距離をＤＳＩＰ、広角端における前記開口絞りから前記第２部分群の物体側のレンズ面までの光軸上の距離をＤＳＮとするとき、
０．２０＜ＤＳＮ／ＤＳＩＰ＜０．７０
なる条件式を満足することを特徴とする請求項１乃至１５のいずれか１項に記載のズームレンズ。
【請求項１７】
広角端から望遠端へのズーミングに際して、前記第１レンズ群は像側に凸状の軌跡で移動することを特徴とする請求項１乃至１６のいずれか１項に記載のズームレンズ。
【請求項１８】
ズーミングに際して前記第１レンズ群が最も像側に位置するズーム位置を中間のズーム位置とするとき、広角端から中間のズーム位置における前記第１レンズ群の移動量をＭ１ａ、中間のズーム位置から望遠端における前記第１レンズ群の移動量をＭ１ｂとするとき、
−０．５０＜Ｍ１ａ／Ｍ１ｂ＜０．００
なる条件式を満足することを特徴とする請求項１７に記載のズームレンズ。
【請求項１９】
前記第１レンズ群は３枚のレンズから構成されること特徴とする請求項１乃至１８のいずれか１項に記載のズームレンズ。
【請求項２０】
前記第１レンズ群の中で最も物体側に配置されたレンズの材料の屈折率をＧ１Ｎｄとするとき、
１．９２０＜Ｇ１Ｎｄ＜２．０６０
なる条件式を満足することを特徴とする請求項１乃至１９のいずれか１項に記載のズームレンズ。
【請求項２１】
前記第１レンズ群は、物体側から像側へ順に配置された、負レンズ、負レンズ、正レンズより構成されること特徴とする請求項１乃至２０のいずれか１項に記載のズームレンズ。
【請求項２２】
前記第２レンズ群は、物体側から像側へ順に配置された、正レンズ、正レンズ、負レンズより構成されること特徴とする請求項１乃至２１のいずれか１項に記載のズームレンズ。
【請求項２３】
広角端から望遠端へのズーミングに際して、前記第２レンズ群、前記第１部分群、及び前記第２部分群は物体側に移動することを特徴とする請求項１乃至２２のいずれか１項に記載のズームレンズ。
【請求項２４】
広角端から望遠端へのズーミングに際して、前記第３部分群は像側へ移動することを特徴とする請求項１乃至２３のいずれか１項に記載のズームレンズ。
【請求項２５】
請求項１乃至２４のいずれか１項に記載のズームレンズと、該ズームレンズによって形成される像を受光する撮像素子とを有することを特徴とする撮像装置。
【発明の詳細な説明】
【技術分野】
【０００１】
本発明は、ズームレンズ及びそれを有する撮像装置に関し、デジタルカメラ、ビデオカメラ、ＴＶカメラ、監視用カメラ、銀塩フィルム用カメラ等の撮像装置に用いられる撮像光学系に好適なものである。
【背景技術】
【０００２】
撮像装置（カメラ）に用いる撮像光学系には広い撮像画角を包含し、高解像力で全系が小型のズームレンズであることが要望されている。また大型（例えばフルサイズやＡＳＰサイズ）の撮像素子に対応した全画面において高い光学性能を有すること、更に、より至近物点の撮像が容易なズームレンズであること等が要望されている。
【０００３】
従来、広画角で、全系が小型のズームレンズとして、最も物体側に負の屈折力のレンズ群が配置されたネガティブリード型のズームレンズが知られている。ネガティブリード型のズームレンズにおいて、小型軽量なレンズ群を用いてフォーカシングを行ったズームレンズが知られている（特許文献１）。
【０００４】
特許文献１では物体側から像側へ順に、負、正、正、負、正の屈折力の第１レンズ群乃至第５レンズ群から成り、隣り合うレンズ群の間隔を変えてズーミングを行い、第４レンズ群でフォーカシングを行う５群ズームレンズを開示している。またフォーカシングに際して収差変動を軽減するために、フォーカシングに際して複数のレンズ群（部分群）を移動するフローティング方式を用いたネガティブリード型のズームレンズが知られている（特許文献２、３）。
【０００５】
特許文献２では物体側から像側へ順に、負、正、負、正の屈折力の第１レンズ群乃至第４レンズ群より構成されている。そしてズーミングに際して隣り合うレンズ群の間隔が変化するズームレンズにおいて、フォーカシングに際して第２レンズ群と第３レンズ群を移動させるフローティングを利用したズームレンズを開示している。
【０００６】
特許文献３では物体側から像側へ順に、負、正、正の屈折力の第１レンズ群乃至第３レンズ群より構成されている。そしてズーミングに際して隣り合うレンズ群の間隔が変化するズームレンズにおいて、フォーカシングに際して第２レンズ群の一部の部分群と第３レンズ群を移動させるフローティングを利用したズームレンズを開示している。
【先行技術文献】
【特許文献】
【０００７】
【特許文献１】特開２０１２−４７８１３号公報
【特許文献２】特開２０１５−１９７５９３号公報
【特許文献３】特開２０１２−２１２１２３号公報
【発明の概要】
【発明が解決しようとする課題】
【０００８】
撮像装置に用いるズームレンズには、広画角でかつレンズ系全体が小型であること、フォーカスレンズ群が小型軽量で至近距離の撮像が容易に行え、しかもフォーカシングに際して収差変動が少ないこと等が強く要望されている。ネガティブリードタイプのズームレンズにおいて、全系が小型でかつズーム全域及び物体距離全般にわたり高い光学性能を得るには各レンズ群の屈折力やレンズ構成等を適切に設定することが重要になってくる。
【０００９】
例えばズーミングに際しての第１レンズ群や第２レンズ群の屈折力や移動条件、フローティングを利用する場合には移動させるレンズ群の選定や屈折力及び移動条件等を適切に設定することが重要になってくる。この他、像面に配置する撮像素子への光束の入射角が大きくなると、大型の撮像素子を用いたとき、画面周辺の光学性能が低下してくる。このため、各レンズ群の屈折力配置、屈折力等を適切に設定することが重要になってくる。これらの設定が適切でないと全系が小型で広画角で物体距離全般にわたり高い光学性能のズームレンズを得るのが困難になってくる。
【００１０】
本発明は、全体が小型でかつ広画角でありながら、物体距離全般にわたり高い光学性能が容易に得られるズームレンズの提供を目的とする。
【課題を解決するための手段】
【００１１】
本発明のズームレンズは、物体側から像側へ順に配置された、負の屈折力の第１レンズ群、正の屈折力の第２レンズ群、正の屈折力の第１部分群、負の屈折力の第２部分群、正の屈折力の第３部分群を有し、広角端に比べて望遠端において、前記第１レンズ群と前記第２レンズ群の間隔が短くなり、ズーミングに際して隣り合うレンズ群の間隔が変化するズームレンズにおいて、
無限遠から最至近距離へのフォーカシングに際して、前記第１部分群は物体側へ移動し、前記第２部分群は像側へ移動し、広角端から望遠端へのズーミングにおける前記第１レンズ群の移動量をＭ１、広角端から望遠端へのズーミングにおける前記第２レンズ群の移動量をＭ２とするとき、
０．００＜Ｍ１／Ｍ２＜１．００
なる条件式を満足することを特徴としている。
【発明の効果】
【００１２】
本発明によれば、全体が小型でかつ広画角でありながら、物体距離全般にわたり高い光学性能が容易に得られるズームレンズが得られる。
【図面の簡単な説明】
【００１３】
【図１】実施例１のレンズ断面図
【図２】（Ａ）、（Ｂ）、（Ｃ）、（Ｄ）  実施例１の無限遠にフォーカスしているときの広角端、中間１のズーム位置、中間２のズーム位置、望遠端における収差図
【図３】（Ａ）、（Ｂ）、（Ｃ）、（Ｄ）  実施例１の最至近距離にフォーカスしているときの広角端、中間１のズーム位置、中間２のズーム位置、望遠端における収差図
【図４】実施例２のレンズ断面図
【図５】（Ａ）、（Ｂ）、（Ｃ）、（Ｄ）  実施例２の無限遠にフォーカスしているときの広角端、中間１のズーム位置、中間２のズーム位置、望遠端における収差図
【図６】（Ａ）、（Ｂ）、（Ｃ）、（Ｄ）  実施例２の最至近距離にフォーカスしているときの広角端、中間１のズーム位置、中間２のズーム位置、望遠端における収差図
【図７】実施例３のレンズ断面図
【図８】（Ａ）、（Ｂ）、（Ｃ）、（Ｄ）  実施例３の無限遠にフォーカスしているときの広角端、中間１のズーム位置、中間２のズーム位置、望遠端における収差図
【図９】（Ａ）、（Ｂ）、（Ｃ）、（Ｄ）  実施例３の最至近距離にフォーカスしているときの広角端、中間１のズーム位置、中間２のズーム位置、望遠端における収差図
【図１０】実施例４のレンズ断面図
【図１１】（Ａ）、（Ｂ）、（Ｃ）、（Ｄ）  実施例４の無限遠にフォーカスしているときの広角端、中間１のズーム位置、中間２のズーム位置、望遠端における収差図
【図１２】（Ａ）、（Ｂ）、（Ｃ）、（Ｄ）  実施例４の最至近距離にフォーカスしているときの広角端、中間１のズーム位置、中間２のズーム位置、望遠端における収差図
【図１３】実施例５のレンズ断面図
【図１４】（Ａ）、（Ｂ）、（Ｃ）、（Ｄ）  実施例５の無限遠にフォーカスしているときの広角端、中間１のズーム位置、中間２のズーム位置、望遠端における収差図
【図１５】（Ａ）、（Ｂ）、（Ｃ）、（Ｄ）  実施例５の最至近距離にフォーカスしているときの広角端、中間１のズーム位置、中間２のズーム位置、望遠端における収差図
【図１６】実施例６のレンズ断面図
【図１７】（Ａ）、（Ｂ）、（Ｃ）、（Ｄ）  実施例６の無限遠にフォーカスしているときの広角端、中間１のズーム位置、中間２のズーム位置、望遠端における収差図
【図１８】（Ａ）、（Ｂ）、（Ｃ）、（Ｄ）  実施例６の最至近距離にフォーカスしているときの広角端、中間１のズーム位置、中間２のズーム位置、望遠端における収差図
【図１９】本発明の撮像装置の要部概略図
【発明を実施するための形態】
【００１４】
以下に、本発明の好ましい実施の形態を、添付の図面に基づいて説明する。本発明のズームレンズは、物体側から像側へ順に配置された、負の屈折力の第１レンズ群、正の屈折力の第２レンズ群、正の屈折力の第１部分群（ＦＰ１）、負の屈折力の第２部分群（ＦＮ）、正の屈折力の第３部分群（ＦＰ２）より構成されている。広角端に比べて望遠端において、第１レンズ群と第２レンズ群の間隔が狭く、ズーミングに際して隣り合うレンズ群の間隔が変化する。
【００１５】
無限遠から最至近距離へのフォーカシングに際して、第１部分群は物体側へ移動し、第２部分群は像側へ移動する。ここでレンズ群とはズーミングに伴う光軸方向のレンズ間隔の変化によって分けられる１つ又は複数のレンズよりなるレンズ系をいう。
【００１６】
図１は実施例１のレンズ断面図である。図２（Ａ）〜図２（Ｄ）は実施例１の広角端（短焦点距離端）、中間１のズーム位置、中間２のズーム位置、望遠端（長焦点距離端）における無限遠へフォーカスしたときの収差図である。図３（Ａ）〜図３（Ｄ）は実施例１の広角端、中間１のズーム位置、中間２のズーム位置、望遠端における最至近距離へフォーカスしたときの収差図である。
【００１７】
ここで最至近距離は面番号１から物点までを表しており、広角端において５０ｍｍ、中間１のズーム位置において８０ｍｍ、中間２のズーム位置において８０ｍｍ、望遠端において２００ｍｍである。実施例１はズーム比２．８３倍、開口比２．８９〜５．７７程度のズームレンズである。
【００１８】
図４は実施例２のレンズ断面図である。図５（Ａ）〜図５（Ｄ）は実施例２の広角端、中間１のズーム位置、中間２のズーム位置、望遠端における無限遠へフォーカスしたときの収差図である。図６（Ａ）〜図６（Ｄ）は実施例２の広角端、中間１のズーム位置、中間２のズーム位置、望遠端における最至近距離へフォーカスしたときの収差図である。
【００１９】
最至近距離は面番号１から物点までを表しており、広角端において５０ｍｍ、中間１のズーム位置において８０ｍｍ，中間２のズーム位置において８０ｍｍ、望遠端において２００ｍｍである。実施例２はズーム比２．８３倍、開口比２．８８〜５．７７程度のズームレンズである。
【００２０】
図７は実施例３のレンズ断面図である。図８（Ａ）〜図８（Ｄ）は実施例３の広角端、中間１のズーム位置、中間２のズーム位置、望遠端における無限遠へフォーカスしたときの収差図である。図９（Ａ）〜図９（Ｄ）は実施例３の広角端、中間１のズーム位置、中間２のズーム位置、望遠端における最至近距離へフォーカスしたときの収差図である。
【００２１】
最至近距離は面番号１から物点までを表しており、広角端において５０ｍｍ、中間１のズーム位置において８０ｍｍ，中間２のズーム位置において８０ｍｍ、望遠端において２００ｍｍである。実施例３はズーム比２．８５倍、開口比２．０６〜５．７８程度のズームレンズである。
【００２２】
図１０は実施例４のレンズ断面図である。図１１（Ａ）〜図１１（Ｄ）は実施例４の広角端、中間１のズーム位置、中間２のズーム位置、望遠端における無限遠へフォーカスしたときの収差図である。図１２（Ａ）〜図１２（Ｄ）は実施例４の広角端、中間１のズーム位置、中間２のズーム位置、望遠端における最至近距離へフォーカスしたときの収差図である。
【００２３】
最至近距離は面番号１から物点までを表しており、広角端において５０ｍｍ、中間１のズーム位置において８０ｍｍ，中間２のズーム位置において８０ｍｍ、望遠端において２００ｍｍである。実施例４はズーム比２．８３倍、開口比２．０６〜５．０５程度のズームレンズである。
【００２４】
図１３は実施例５のレンズ断面図である。図１４（Ａ）〜図１４（Ｄ）は実施例５の広角端、中間１のズーム位置、中間２のズーム位置、望遠端における無限遠へフォーカスしたときの収差図である。図１５（Ａ）〜図１５（Ｄ）は実施例５の広角端、中間１のズーム位置、中間２のズーム位置、望遠端における最至近距離へフォーカスしたときの収差図である。
【００２５】
最至近距離は面番号１から物点までを表しており、広角端において５０ｍｍ、中間１のズーム位置において８０ｍｍ，中間２のズーム位置において８０ｍｍ、望遠端において２００ｍｍである。実施例５はズーム比２．８３倍、開口比２．８８〜５．７７程度のズームレンズである。
【００２６】
図１６は実施例６のレンズ断面図である。図１７（Ａ）〜図１７（Ｄ）は実施例６の広角端、中間１のズーム位置、中間２のズーム位置、望遠端における無限遠へフォーカスしたときの収差図である。図１８（Ａ）〜図１８（Ｄ）は実施例６の広角端、中間１のズーム位置、中間２のズーム位置、望遠端における最至近距離へフォーカスしたときの収差図である。
【００２７】
最至近距離は面番号１から物点までを表しており、広角端において５０ｍｍ、中間１のズーム位置において８０ｍｍ，中間２のズーム位置において８０ｍｍ、望遠端において２００ｍｍである。実施例６はズーム比２．８３倍、開口比２．８８〜５．７７程度のズームレンズである。図１９は本発明の撮像装置の要部概略図である。
【００２８】
各実施例のズームレンズはビデオカメラやデジタルカメラそして銀塩フィルムカメラ等の撮像装置に用いられる撮像光学系である。レンズ断面図において、左方が物体側（前方）で、右方が像側（後方）である。尚、各実施例のズームレンズをプロジェクターに用いても良く、このときは左方がスクリーン側、右方が被投射画像側となる。
【００２９】
レンズ断面図においてＯＬはズームレンズである。ｉは物体側からのレンズ群の順番を示し、Ｌｉは第ｉレンズ群である。ＦＰ１は正の屈折力の第１部分群、ＦＮは負の屈折力の第２部分群、ＦＰ２は正の屈折力の第３部分群を示している。ＳＰ１は開口絞りである。ＳＰ２はフレアカット絞りである。Ｇは光学フィルター、フェースプレート、赤外カットフィルター等に相当する光学ブロックである。
【００３０】
ＩＰは像面であり、ビデオカメラやデジタルスチルカメラの撮像光学系として使用する際にはＣＣＤセンサやＣＭＯＳセンサ等の固体撮像素子（光電変換素子）の撮像面に、銀塩フィルム用カメラのときはフィルム面に相当する。
【００３１】
レンズ断面図において、実線の矢印は無限遠に合焦したときに広角端から望遠端へのズーミングにおける各レンズ群の移動軌跡を示している。点線の矢印は最至近距離に合焦したときで広角端から望遠端へのズーミングにおける各レンズ群の移動軌跡を示している。フォーカスに関する矢印は無限遠から最至近距離へのフォーカシングの際の第１部分群ＦＰ１と第２部分群ＦＮの移動方向を示している。
【００３２】
縦収差図において、ｄはｄ線（波長５８７．６ｎｍ）、ｇはｇ線（波長４３５．８ｎｍ）である。Ｍはｄ線のメリディオナル像面、Ｓはｄ線のサジタル像面である。倍率色収差はｇ線によって表している。ωは半画角（度）、ＦｎｏはＦナンバーである。尚、以下の各実施例において広角端と望遠端は変倍用レンズ群が機構上光軸上を移動可能な範囲の両端に位置したときのズーム位置をいう。中間１のズーム位置はズーミングにおいて第１レンズ群Ｌ１が最も像側に位置するズーム位置である。
【００３３】
実施例１、２、６のズームレンズのレンズ構成は、物体側より像側へ順に、次のとおりである。負の屈折力の第１レンズ群Ｌ１、開口絞りＳＰ１、正の屈折力の第２レンズ群Ｌ２、正の屈折力の第１部分群ＦＰ１、負の屈折力の第２部分群ＦＮ、正の屈折力の第３部分群ＦＰ２から構成されている。正の屈折力の第１部分群ＦＰ１と負の屈折力の第２部分群ＦＮは第３レンズ群Ｌ３を構成している。正の屈折力の第３部分群ＦＰ２は第４レンズ群Ｌ４を構成している。
【００３４】
ズーミングに際して隣り合うレンズ群の間隔が変化する。ズーム比は３倍程度にて全系の小型化を図るため、ズーム構成は物体側より像側へ順に負の屈折力の第１レンズ群Ｌ１、正の屈折力の第２レンズ群Ｌ２を有したネガティブリードのレンズ構成としている。
【００３５】
第１レンズ群が正の屈折力であるポジティブリードのズーム構成は、高ズーム比化には有利となるが、広角端において広画角化を狙うと前玉有効径が大きくなる。このため、３倍程度のズーム倍率では、第１レンズ群を負の屈折力としたネガティブリードのズーム構成の方が全系の小型化には有利である。
【００３６】
広角端から望遠端へのズーミングに際して、第１レンズ群Ｌ１が像側に凸状の軌跡で物体側に移動し、開口絞りＳＰ１は物体側に移動する。更に第２レンズ群Ｌ２が物体に移動し、第１部分群ＦＰ１と第２部分群ＦＮは一体的に物体側に移動し、第３部分群ＦＰ２は像側に移動する。
【００３７】
広角端から望遠端へのズーミングに際し、第１レンズ群Ｌ１を物体側に位置するように移動させることで、広角端におけるレンズ全長を短縮し、開口絞りＳＰ１と第１レンズ群Ｌ１を近づけることにより、前玉有効径の小型化を図っている。また、ズーミングに際して第１レンズ群Ｌ１の移動軌跡を像側へ凸状の軌跡で移動することにより、ズーミングにおける像面特性を良好に補正している。
【００３８】
また、ズーミングに際して、開口絞りＳＰ１を各レンズ群Ｌ１とは独立に（異なった軌跡で）移動している。具体的には、中間焦点距離のズーム位置において第２レンズ群Ｌ２から物体側に離れ第２レンズ群Ｌ２に対して物体側に凸状になる軌跡で移動する。あるいは、広角端から望遠端にかけて開口絞りＳＰ１と第２レンズ群Ｌ２の間隔が狭まる軌跡とする。これよって、広角端から中間焦点距離のズーム位置における軸外光線の下線フレアをカットし、広角端から中間焦点位置のズーム位置における光学性能を良好にしている。
【００３９】
また、ズーミングにおいて正の屈折力の第２レンズ群Ｌ２に対して、第１部分群ＦＰ１と第２部分群ＦＮを別の移動軌跡とすることにより、ズーミングにおける中間焦点距離のズーム位置において像面特性を良好に補正している。また、ズーミングにおいて正の屈折力の第３部分群ＦＰ２を像側に移動させ、変倍効果を持たせている。これにより第２レンズ群Ｌ２と第１部分群ＦＰ１と第２部分群ＦＮの移動量を少なくし、望遠端におけるレンズ全長を短縮している。また、最終の第３部分群ＦＰ２を１枚の正レンズより構成している。
【００４０】
第３部分群ＦＰ２を正の屈折力することにより、広角端における射出瞳を物体側に遠ざけ、テレセントリック性を良好にしている。即ち、光束の像面への入射高を小さくしている。
【００４１】
第３部分群ＦＰ２は結像点（像面）に近い位置に配置しており、レンズ有効径が大きくなるため、第３部分群ＦＰ２を複数枚のレンズで構成するとレンズの厚みが増し、全系が大型化する。このため１枚のレンズより構成している。また、正の屈折力の第３部分群ＦＰ２の物体側には負の屈折力の第２部分群ＦＮを配置している。第３部分群ＦＰ２を正の屈折力とすることで、第３部分群ＦＰ２の物体側の第２部分群ＦＮの有効径を小型化にしつつ、負の屈折力にすることによってレンズ全長を短縮している。
【００４２】
また、負の屈折力の第２部分群ＦＮの物体側には正の屈折力の第１部分群ＦＰ１を配置している。正の屈折力の第１部分群ＦＰ１を第２部分群ＦＮの物体側に配置している。これにより、第１部分群ＦＰ１、第２部分群ＦＮ、第３部分群ＦＰ２（第４レンズ群Ｌ４）のうち、正の屈折力の第１部分群ＦＰ１と第３部分群ＦＰ２に正の屈折力を分散している。
【００４３】
像面の前に配置される第３部分群ＦＰ２は有効径が大きいため、屈折力が強いとレンズ肉厚が厚くなり、沈胴時のカメラ厚に影響する。そこで、有効径の小さな第１部分群ＦＰ１に正の屈折力を持たせることにより、第３部分群ＦＰ２の正の屈折力を弱めて、レンズ肉厚を薄くしている。
【００４４】
また、負の屈折力の第２部分群ＦＮとは異符号の正の屈折力の第１部分群ＦＰ１を物体側に配置している。これによりとで、第１部分群ＦＰ１と第２部分群ＦＮの位置敏感度を高くしている。また、第１部分群ＦＰ１は第２部分群ＦＮの物体側で、開口絞りＳＰ１よりも像側の位置に配置することで、第２部分群ＦＮよりも有効径を小径としている。そのため、第１部分群ＦＰ１と、第２部分群ＦＮをフォーカシングレンズ群として無限遠から最至近距離へのフォーカシングに際しての移動量を短縮するともに、迅速なフォーカシングを容易にしている。
【００４５】
正の屈折力の第１部分群ＦＰ１は無限遠から最至近距離へのフォーカシングに際し、物体側へ移動する構成をとっている。負の屈折力の第２部分群ＦＮは無限遠から最至近距離へのフォーカシングに際し、像側へ移動する構成をとっている。第１部分群ＦＰ１と第２部分群ＦＮを無限遠から最至近距離へのフォーカシングに際し同時に移動する構造とすることにより、例えば第２部分群ＦＮを単独でフォーカシングを行うよりも、より最至近距離へのフォーカスを容易にしている。
【００４６】
レンズ断面図において、第１部分群ＦＰ１に関する実線の曲線ＦＰ１ａと点線の曲線ＦＰ１ｂは、各々無限遠と最至近距離にフォーカスしているときの変倍に伴う像面変動を補正するための移動軌跡である。また、無限遠から近距物点へフォーカスを行う場合には、矢印ＦＰ１ｃに示す如く第１部分群ＦＰ１を物体側へ繰出すことで行っている。
【００４７】
第２部分群ＦＮに関する実線の曲線ＦＮａと点線の曲線ＦＮｂは、各々無限遠と最至近距離にフォーカスしているときの変倍に伴う像面変動を補正するための移動軌跡である。また望遠端において、無限遠から最至近距離へフォーカスを行う場合には、矢印ＦＮｃに示す如く第２部分群ＦＮを像側へ繰り込むことで行っている。
【００４８】
実施例３、４のズームレンズのレンズ構成は、物体側より像側へ順に、次のとおりである。負の屈折力の第１レンズ群Ｌ１、フレアカット絞りＳＰ２、正の屈折力の第２レンズ群Ｌ２、開口絞りＳＰ１、正の屈折力の第１部分群ＦＰ１、負の屈折力の第２部分群ＦＮ、正の屈折力の第３部分群ＦＰ２から構成されている。
【００４９】
実施例５のズームレンズのレンズ構成は、物体側より像側へ順に、次のとおりである。負の屈折力の第１レンズ群Ｌ１、開口絞りＳＰ１、正の屈折力の第２レンズ群Ｌ２、フレアカット絞りＳＰ２、正の屈折力の第１部分群ＦＰ１、負の屈折力の第２部分群ＦＮ、正の屈折力の第３部分群ＦＰ２から構成されている。
【００５０】
実施例３、４、５において、正の屈折力の第１部分群ＦＰ１は第３レンズ群Ｌ３を構成し、負の屈折力の第２部分群ＦＮは第４レンズ群Ｌ４を構成し、正の屈折力の第３部分群ＦＰ２は第５レンズ群Ｌ５を構成している。ズーミングに際して隣り合うレンズ群の間隔が変化する。フレアカット絞りＳＰ２は開口径が一定である。
【００５１】
ズーム比は３倍程度にて全系の小型化を図るため、ズーム構成は物体側より像側へ順に、負の屈折力の第１レンズ群Ｌ１、正の屈折力の第２レンズ群Ｌ２を有したネガティブリードのレンズ構成としている。第１レンズ群が正の屈折力であるポジティブリードのズーム構成は、高ズーム化には有利となるが前玉径が大きくなる。このため、３倍程度のズーム倍率では、第１レンズ群Ｌ１に負の屈折力としたネガティブリードのズーム構成の方が全系の小型化には有利である。
【００５２】
広角端から望遠端へのズーミングに際して、第１レンズ群Ｌ１が像側に凸状の軌跡で物体側に移動し、フレアカット絞りＳＰ２は物体側に移動する。更に第２レンズ群Ｌ２が物体に移動し、第１部分群ＦＰ１は物体側に移動し、第２部分群ＦＮは物体側に移動し、第３部分群ＦＰ２は像側に移動する。開口絞りＳＰは第２レンズ群Ｌ２と同じ軌跡で移動する。
【００５３】
広角端から望遠端へのズーミングに際し、第１レンズ群Ｌ１を物体側に位置するように移動させることで、広角端におけるレンズ全長を短縮し、開口絞りＳＰ１と第１レンズ群Ｌ１を近づけることにより、前玉有効径の小型化を図っている。また、ズーミングに際して実施例３、４ではフレアカット絞りＳＰ２を各レンズ群とは別軌跡にし、中間焦点距離のズーム位置において第２レンズ群Ｌ２から物体側に離れ第２レンズ群Ｌ２に対して物体側に凸状になる軌跡で移動する。
【００５４】
あるいは、広角端から望遠端にかけて開口絞りＳＰ１と第２レンズ群Ｌ２の間隔が狭まる軌跡とする。これによって、広角端から中間焦点距離のズーム位置における軸外光線の下線フレアをカットし、広角端から中間焦点位置のズーム位置における光学性能を良好にしている。また、ズーミングにおいて正の屈折力の第２レンズ群Ｌ２に対して、正の屈折力の第１部分群ＦＰ１と第２部分群ＦＮを別の移動軌跡とすることにより、ズーミングにおける中間焦点距離のズーム位置において像面特性を良好に補正している。
【００５５】
また、ズーミングにおいて正の屈折力の第３部分群ＦＰ２を像側に移動させ、変倍効果を持たせている。これにより第２レンズ群Ｌ２、第１部分群ＦＰ１、第２部分群ＦＮの移動量を少なくし、望遠端におけるレンズ全長を短縮している。また、最終の第３部分群ＦＰ２を１枚の正レンズより構成している。第３部分群ＦＰ２を正の屈折力することにより、広角端における射出瞳を物体側に遠ざけ、テレセントリック性を良好にしている。
【００５６】
第３部分群ＦＰ２は結像点（像面）に近い位置に配置しており、レンズ有効径が大きくなるため、第３部分群ＦＰ２を複数枚のレンズで構成するとレンズの厚みが増し、全系が大型化する。このため１枚のレンズより構成している。また、正の屈折力の第３部分群ＦＰ２の物体側には負の屈折力の第２部分群ＦＮを配置している。第３部分群ＦＰ２を正の屈折力とすることで第３部分群ＦＰ２の物体側の第２部分群ＦＮの有効径を小型化にしつつ、負の屈折力にすることによってレンズ全長を短縮している。また負の屈折力の第２部分群ＦＮの物体側には正の屈折力の第１部分群ＦＰ１を配置している。
【００５７】
正の屈折力の第１部分群ＦＰ１を第２部分群ＦＮの物体側に配置している。これにより、それよりも像側に配置される第１部分群ＦＰ１、第２部分群ＦＮ、第３部分群ＦＰ２のうち、第１部分群ＦＰ１と第３部分群ＦＰ２の正の屈折力を分散している。
【００５８】
像面の前に配置される第３部分群ＦＰ２は有効径が大きいため、屈折力が強いとレンズ肉厚が厚くなり、沈胴時のカメラ厚に影響する。そこで、有効径の小さな第１部分群ＦＰ１に正の屈折力を持たせることにより、第３部分群ＦＰ２の正の屈折力を弱めて、レンズ肉厚を薄くしている。また、負の屈折力の第２部分群ＦＮとは異符号の正の屈折力の第１部分群ＦＰ１を物体側に配置することで、第１部分群ＦＰ１と第２部分群ＦＮの位置敏感度を高くしている。
【００５９】
また、第１部分群ＦＰ１は第２部分群ＦＮの物体側で、開口絞りＳＰ１よりも像側の位置に配置することで、第２部分群ＦＮよりも有効径を小径としている。そのため、第１部分群ＦＰ１と、第２部分群ＦＮをフォーカシングレンズ群として無限遠から最至近距離へのフォーカシングに際しての移動量を短縮するともに、迅速なフォーカシングを容易にしている。
【００６０】
正の屈折力の第１部分群ＦＰ１は無限遠から最至近距離へのフォーカシングに際し、物体側へ移動する構成をとっている。負の屈折力の第２部分群ＦＮは無限遠から最至近距離へのフォーカシングに際し、像側へ移動する構成をとっている。第１部分群ＦＰ１と第２部分群ＦＮを無限遠から最至近距離へのフォーカシングに際し同時に移動する構造とすることにより、例えば第２部分群ＦＮを単独でフォーカシングを行うよりも、より最至近距離へのフォーカスを容易にしている。
【００６１】
レンズ断面図において、第１部分群ＦＰ１に関する実線の曲線ＦＰ１ａと点線の曲線ＦＰ１ｂは、各々無限遠と最至近距離にフォーカスしているときの変倍に伴う像面変動を補正するための移動軌跡である。
【００６２】
また、無限遠から近距物点へフォーカスを行う場合には、矢印ＦＰ１ｃに示す如く第１部分群ＦＰ１を物体側へ繰出すことで行っている。第２部分群ＦＮに関する実線の曲線ＦＮａと点線の曲線ＦＮｂは、各々無限遠と最至近距離にフォーカスしているときの変倍に伴う像面変動を補正するための移動軌跡である。また望遠端において、無限遠から最至近距離へフォーカスを行う場合には、矢印ＦＮｃに示す如く第２部分群ＦＮを像側へ繰り込むことで行っている。
【００６３】
各実施例において、広角端から望遠端へのズーミングにおける第１レンズ群Ｌ１の移動量をＭ１、第２レンズ群Ｌ２の移動量をＭ２とする。このとき、
０．００＜Ｍ１／Ｍ２＜１．００    ・・・（１）
なる条件式を満足する。
【００６４】
ここで、移動量の符号は、広角端に比べて望遠端においてレンズ群が物体側に位置するときを負、像側に位置するときを正とする。
【００６５】
条件式（１）は広角端から望遠端へのズーミングにおける第１レンズ群Ｌ１の移動量と第２レンズ群Ｌ２の移動量の比を規定している。条件式（１）の上限値を超えて第１レンズ群Ｌ１の移動量が大きくなると、広角端におけるレンズ全長は短くなる。広角端におけるレンズ全長が短くなることで、第１レンズ群Ｌ１と開口絞りＳＰ１の間隔が狭まり、第１レンズ群Ｌ１の有効径が小さくなる。
【００６６】
そのため、第１レンズ群Ｌ１の小型化には有利であるが、第１レンズ群Ｌ１と、第２レンズ群Ｌ２のズーミングにおける移動量が大きくなる。これにより、望遠端におけるレンズ全長が大きくなり沈胴時を行う為の鏡筒部材が増加し、径方向が大型化になるため好ましくない。
【００６７】
条件式（１）の下限値を超えるように第１レンズ群Ｌ１が移動すると、第１レンズ群Ｌ１はズーミングに際して物体側から像側に位置する移動軌跡となるため、望遠端よりも広角端にてレンズ全長が長くなる。そして広角端において、開口絞りＳＰ１と第１レンズ群Ｌ１が広がる方向になるため、第１レンズ群Ｌ１の有効径が大きくなり、第１レンズ群Ｌ１の光軸方向が長くなり、また径方向が大型化してくる。なお、好ましくは、条件式（１）の数値範囲を次の如くするのが良い。
０．１０＜Ｍ１／Ｍ２＜０．８０    ・・・（１ａ）
【００６８】
また、さらに好ましくは条件式（１ａ）の数値範囲を次の如く設定すると、先に述べた条件式が意味する効果が最大限に得られる。
０．２０＜Ｍ１／Ｍ２＜０．６０    ・・・（１ｂ）
【００６９】
各実施例では以上の如く構成することにより、全系が小型で高い性能を有し、かつ最至近距離へのフォーカスが容易なズームレンズを得ることができる。
【００７０】
各実施例において更に好ましくは次の条件式のうち１つ以上を満足することがより好ましい。無限遠から最至近距離へのフォーカシングにおける第２部分群ＦＮの移動量をＭｆＦＮ、第１部分群ＦＰ１の移動量をＭｆＦＰ１とする。第１部分群ＦＰ１の焦点距離をｆＰ１、第２部分群ＦＮの焦点距離をｆＮとする。第３部分群ＦＰ２の焦点距離をｆＰ２とする。
【００７１】
無限遠にフォーカスしているときの、広角端における第２部分群ＦＮと第３部分群ＦＰ２の間隔をＤＷ４、広角端における全系の焦点距離をｆＷとする。無限遠にフォーカスしているときの広角端における第２レンズ群Ｌ２と第１部分群ＦＰ１の間隔をＤＷ２とする。第１レンズ群Ｌ１の焦点距離をｆ１、第２レンズ群Ｌ２の焦点距離をｆ２とする。広角端から望遠端へのズーミングにおける第１部分群ＦＰ１の移動量をＭＦＰ１とする。広角端から望遠端へのズーミングにおける第２部分群ＦＮの移動量をＭＦＮ、広角端から望遠端へのズーミングにおける第３部分群ＦＰ２の移動量をＭＦＰ２とする。
【００７２】
第２部分群ＦＮの最も物体側のレンズ面の曲率半径をＦＮＲ１、第２部分群ＦＮの最も像側のレンズ面の曲率半径をＦＮＲ２とする。第１部分群ＦＰ１の最も物体側のレンズ面の曲率半径をＦＰ１Ｒ１、第１部分群ＦＰ１の最も像側のレンズ面の曲率半径をＦＰ１Ｒ２とする。第３部分群ＦＰ２の最も物体側のレンズ面の曲率半径をＦＰ２Ｒ１、第３部分群ＦＰ２の最も像側のレンズ面の曲率半径をＦＰ２Ｒ２とする。
【００７３】
ズームレンズは開口絞りＳＰ１を有し、広角端における開口絞りＳＰ１から像面までの長さをＤＳＩＰ、広角端における開口絞りＳＰ１から第１部分群ＦＰ１の物体側のレンズ面までの光軸上の長さをＤＳＰ１とする。広角端における開口絞りＳＰ１から第２部分群ＦＮの物体側のレンズ面までの光軸上の長さをＤＳＮとする。
【００７４】
広角端から望遠端へのズーミングに際して、第１レンズ群Ｌ１は像側に凸状の軌跡で移動し、ズーミングに際して第１レンズ群Ｌ１が最も像側に位置するズーム位置を中間１のズーム位置とする。このとき、広角端から中間１のズーム位置における第１レンズ群Ｌ１の移動量をＭ１ａ、中間１のズーム位置から望遠端における第１レンズ群Ｌ１の移動量をＭ１ｂとする。
【００７５】
第１レンズ群Ｌ１の最も物体側のレンズの材料の屈折率をＧ１Ｎｄとする。ここで、無限遠から最至近距離へのフォーカシングにおける移動量の符号は、物体側に移動するときを負、像側に移動するときを正とする。このとき、次の条件式のうち１つ以上を満足するのが良い。
【００７６】
−１．００＜ＭｆＦＰ１／ＭｆＦＮ＜０．００  ・・・（２）
−１．８０＜ｆＰ１／ｆＮ＜−０．３０        ・・・（３）
−２．００＜ｆＰ２／ｆＮ＜−０．５０        ・・・（４）
０．４０＜ｆＰ２／ｆＰ１＜１．２０          ・・・（５）
０．１０＜ＤＷ４／ｆＷ＜１．００            ・・・（６）
０．１０＜ＤＷ２／ｆＷ＜１．００            ・・・（７）
−１．５０＜ｆ１／ｆ２＜−０．６０          ・・・（８）
−１．５０＜Ｍ１／ｆＷ＜−０．２０          ・・・（９）
１．００＜Ｍ２／ＭＦＰ１＜１．５０          ・・・（１０）
−１２．００＜ＭＦＮ／ＭＦＰ２＜−２．００  ・・・（１１）
１．００＜（ＦＮＲ２＋ＦＮＲ１）／（ＦＮＲ２−ＦＮＲ１）＜１５．００
・・・（１２）
０．２０＜（ＦＰ１Ｒ２＋ＦＰ１Ｒ１）／（ＦＰ１Ｒ２−ＦＰ１Ｒ１）＜５．００
・・・（１３）
０．２０＜（ＦＰ２Ｒ２＋ＦＰ２Ｒ１）／（ＦＰ２Ｒ２−ＦＰ２Ｒ１）＜３．００
・・・（１４）
０．０５＜ＤＳＰ１／ＤＳＩＰ＜０．６０      ・・・（１５）
０．２０＜ＤＳＮ／ＤＳＩＰ＜０．７０        ・・・（１６）
−０．５０＜Ｍ１ａ／Ｍ１ｂ＜０．００        ・・・（１７）
１．９２０＜Ｇ１Ｎｄ＜２．０６０            ・・・（１８）
【００７７】
次に前述の各条件式の技術的意味について説明する。条件式（２）は無限遠から最至近距離へのフォーカシングにおける第１部分群ＦＰ１と第２部分群ＦＮの移動量の比を限定している。条件式（２）の上限値を超えて第２部分群ＦＮに対して第１部分群ＦＰ１の移動量が大きくなると、位置敏感度的には第２部分群ＦＮより第１部分群ＦＰ１の方が高いため、フォーカシングに際しての移動量を減らすことができる。しかしながら、球面収差の変動に加え、コマ収差の変動が大きくなり好ましくない。
【００７８】
条件式（２）の下限値を超えて第１部分群ＦＰ１に対して第２部分群ＦＮの移動量が大きくなると、第２部分群ＦＮと第３部分群ＦＰ２が物理的に干渉しやすくなり、所望のマクロ領域へのフォーカシングが困難となるため、好ましくない。
【００７９】
条件式（３）は第１部分群ＦＰ１の屈折力と第２部分群ＦＮの屈折力の比を規定している。条件式（３）の上限値を超えて第２部分群ＦＮの負の屈折力が弱くなると（負の屈折力の絶対値が小さくなると）、広角端において第２部分群ＦＮの至近へのフォーカシングに際しての移動量が大きくなる。そして第２部分群ＦＮと第３部分群ＦＰ２が干渉しやすくなり、所望のマクロ領域へのフォーカシングが困難となるため、好ましくない。
【００８０】
条件式（３）の下限値を超えて第２部分群ＦＮの負の屈折力が強くなると（負の屈折力の絶対値が大きくなると）、フォーカシングにおける移動量が短縮できるため、全系の小型化には有利である。しかしながら、偏心敏感度が高くなり、組み立て製造が困難になるため好ましくない。
【００８１】
条件式（４）は第３部分群ＦＰ２の屈折力と第２部分群ＦＮの屈折力の比を規定している。条件式（４）の上限値を超えて第２部分群ＦＮに対する第３部分群ＦＰ２の正の屈折力が強くなると、広角端での入射角は良くなるが第３部分群ＦＰ２の正の屈折力が強くなる。そのため第３部分群ＦＰ２の光軸方向の厚みが増し、全系が大型化するため好ましくない。第３部分群ＦＰ２は像面近傍に配置されており、有効径の大きなレンズであるが、有効径が大きい分、屈折力が強くなると中心肉厚が増大してきて良くない。
【００８２】
条件式（４）の下限値を超えて第２部分群ＦＮに対する第３部分群ＦＰ２の屈折力が弱くなると、広角端での光束の入射角がきつくなるため好ましくない。
【００８３】
条件式（５）は第１部分群ＦＰ１と第３部分群ＦＰ２の屈折力の比を規定している。条件式（５）の上限値を超えて第１部分群ＦＰ１に対する第３部分群ＦＰ２の正の屈折力が弱くなると、広角端での光束の入射角がきつくなるため好ましくない。また、第１部分群ＦＰ１の屈折力が強くなることにより、第１部分群ＦＰ１の偏心敏感度が高くなるため、組み立て製造が困難になり好ましくない。
【００８４】
条件式（５）の下限値を超えて第１部分群ＦＰ１に対する第３部分群ＦＰ２の正の屈折力が強くなると、広角端での光束の入射角は良く（小さく）なるが、第３部分群ＦＰ２の屈折力が強くなる分、第３部分群ＦＰ２の光軸方向の厚みが増す。そして、全系が大型化するため好ましくない。
【００８５】
条件式（６）は無限遠にフォーカスしているときの広角端における第２部分群ＦＮと第３部分群ＦＰ２の間隔ＤＷ４を規定している。条件式（６）の上限値を超えてＤＷ４が大きくなると、第２部分群ＦＮの無限遠から最至近距離へのフォーカシングにおける移動量は十分確保されるが、第３部分群ＦＰ２が像側へ配置される方向になる。このため、ズーミングにおける第３部分群ＦＰ２の移動量が少なくなり、ズーム全域において像面特性が劣化する。
【００８６】
また、第３部分群ＦＰ２のズーミングにおけるズーム比が少なくなってしまい、ズーム比を稼ぐための第２レンズ群Ｌ２の移動量が大きくなり、望遠端におけるレンズ全長が長くなるため、好ましくない。
【００８７】
条件式（６）の下限値を超えて間隔ＤＷ４が小さくなると、第２部分群ＦＮの無限遠から最至近距離へのフォーカシングにおいて第３部分群ＦＰ２との干渉が起きるため好ましくない。最至近距離へのフォーカシングを実現するためには第２部分群ＦＮの屈折力を強める必要があり、第２部分群ＦＮの偏心敏感度が高くなり組み立てに影響するため好ましくない。
【００８８】
条件式（７）は無限遠にフォーカスしているとき広角端における第２レンズ群Ｌ２と第１部分群ＦＰ１との間隔ＤＷ２を規定している。条件式（７）の上限値を超えて間隔ＤＷ２が大きくなると、最至近距離へのフォーカシングに際し第２レンズ群と第１部分群ＦＰ１の移動量は十分確保できるが、第２部分群ＦＮと第３部分群ＦＰ２との間隔が狭くなる方向となる。この結果、第２部分群ＦＮと第３部分群ＦＰ２がフォーカシング時に干渉しやすくなるため好ましくない。
【００８９】
また、広角端において負の屈折力の第２部分群ＦＮが像側へ配置されることで、像面への光束の入射角度がきつくなるための好ましくない。入射角を緩和するためには、第２部分群ＦＮを物体側へ移動させる必要があり、そうすると広角端におけるレンズ全長が長くなるため好ましくない。
【００９０】
条件式（７）の下限値を超えてＤＷ２が小さくなると、無限遠から至近距離へのフォーカシングに際しての第１部分群ＦＰ１の移動量を十分確保することが困難になる。その結果、近距離に位置する物体に対するフォーカシングを行うことが困難になるため、好ましくない。
【００９１】
条件式（８）は第１レンズ群Ｌ１と第２レンズ群Ｌ２の屈折力の比を規定している。条件式（８）の上限値を超えて第２レンズ群Ｌ２に対する第１レンズ群Ｌ１の負の屈折力が強くなると、ズーミングにおける第２レンズ群Ｌ２の移動量が大きくなり望遠端のレンズ全長が増大する。また、ペッツバール和が小さくなり、像面湾曲がアンダー傾向となるため好ましくない。
【００９２】
条件式（８）の下限値を超えて第２レンズ群Ｌ２に対する第１レンズ群Ｌ１の負の屈折力が弱くなると、レンズ全長は短くなる方向ではあるが、第１レンズ群Ｌ１が径方向に拡大し全系が大型化するため好ましくない。また、ペッツバール和が大きくなり、像面湾曲がオーバー傾向となるため好ましくない。
【００９３】
条件式（９）はズーミングにおける第１レンズ群Ｌ１の移動量を規定している。条件式（９）の上限値を超えて、第１レンズ群Ｌ１の移動量が大きくなると、望遠端におけるレンズ全長が延び全系が大型化するため、好ましくない。また、望遠端におけるレンズ全長を一定にしつつ、上限値を超えると広角端におけるレンズ全長が短くなるため前玉有効径は小さくなるが、第１レンズ群Ｌ１の屈折力が強くなるため、像面湾曲がアンダーとなり好ましくない。
【００９４】
条件式（９）の下限値を越えて第１レンズ群Ｌ１の移動量が小さくなると、望遠端におけるレンズ全長は短くなるが、広角端におけるレンズ全長が大きくなり、第１レンズ群Ｌ１と開口絞りＳＰ１との間隔が大きくなるため前玉有効径が大きくなり好ましくない。
【００９５】
条件式（１０）はズーミングに際しての第２レンズ群Ｌ２と第１部分群ＦＰ１の移動量の比を規定している。条件式（１０）の上限値を超えて第２レンズ群Ｌ２の移動量が大きくなると、望遠端にてレンズ全長が長くなるため、好ましくない。条件式（１０）の下限値を超えて第２レンズ群Ｌ２の移動量が小さくなると、全系の小型化は容易となるが、第２レンズ群Ｌ２と第１部分群ＦＰ１が望遠端にて干渉する傾向となるため好ましくない。また望遠端において無限遠から最至近距離に際してフォーカシングにおいて、第２レンズ群Ｌ２と第１部分群ＦＰ１が干渉しやすくなるため好ましくない。
【００９６】
条件式（１１）はズーミングにおける第２部分群ＦＮの移動量と第３部分群ＦＰ２の移動量の比を規定している。条件式（１１）の下限値を超えて第２部分群ＦＮの移動量が大きくなると、望遠端にてレンズ全長が長くなるため好ましくない。条件式（１１）の上限値を超えて第３部分群ＦＰ２の移動量が大きくなると、第３部分群ＦＰ２にて変倍分担が大きくなり、第３部分群ＦＰ２よりも物体側のレンズ群のズーミングにおける移動量を小さくすることができる。
【００９７】
しかしながら、広角端にて第３部分群ＦＰ２が物体側に位置するため第２部分群ＦＮと干渉しやすいため好ましくない。干渉をさけるためには広角端におけるレンズ全長を長くする必要があり全系が大型化するため好ましくない。
【００９８】
条件式（１２）は第２部分群ＦＮのレンズ形状を規定している。条件式（１２）は第２部分群ＦＮが像側に凸面を向けたメニスカス形状のレンズよりなること意味している。第２部分群ＦＮを像側に凸面を向けたメニスカス形状のレンズとすることにより、軸外光線とコンセントリックな配置としている。これにより、無限遠から最至近距離へのフォーカシングに際し、像側への移動後も軸外光線とのコンセントリック状態が変わらないようにして、フォーカシングによる像面変動を軽減している。
【００９９】
条件式（１２）の上限値を超えてレンズ形状が変化すると、物体側のレンズ面の曲率と像側のレンズ面の曲率との差が無くなる方向の形状となり第１レンズ群Ｌ１とのレンズ形状の対称性が崩れ、コマ収差が多く発生するため好ましくない。条件式（１２）の下限値を超えてレンズ形状が変化すると、物体側のレンズ面の曲率と像側のレンズ面の曲率の差が大きくなり、第１レンズ群Ｌ１とのレンズ形状の対称性は良くなりコマ収差は軽減する方向となる。しかしながら、負の屈折力が強くなりペッツバール和がプラス方向に大きくなり像面湾曲がオーバーとなり好ましくない。
【０１００】
条件式（１３）は第１部分群ＦＰ１のレンズ形状を規定している。条件式（１３）は第１部分群ＦＰ１が像側に凸面を向けたメニスカス形状又は両凸形状であること意味している。第１部分群ＦＰ１が像側に凸面を向けたメニスカス形状であると、第２部分群ＦＮは像側に凹面を向けたレンズ形状であるため、沈胴時に第２部分群ＦＮと第１部分群ＦＰ１の空気間隔を近づけることができ、全系の小型化に有効である。
【０１０１】
条件式（１３）の上限値を超えてレンズ形状が変化すると、第１部分群ＦＰ１の正の屈折力が弱くなる。第１部分群ＦＰ１の屈折力が弱くなると、第１部分群ＦＰ１と同じ正の屈折力のレンズ群である第３部分群ＦＰ２の正の屈折力が強くなるため、第３部分群ＦＰ２の肉厚が厚くなり、沈胴厚が厚くなるため好ましくない。
【０１０２】
条件式（１３）の下限値を超えてレンズ形状が変化すると、第２部分群ＦＮの物体側のレンズ面が物体側に強い曲率を持つ両凸形状あるいは物体側に凸面を向けたメニスカス形状となる。第２部分群ＦＮの像側に凸形状が向かないレンズ形状は、沈胴時に第１部分群ＦＰ１と第２部分群ＦＮの間隔に無駄なスペースができてしまい沈胴厚が厚くなるため好ましくない。
【０１０３】
条件式（１４）は第３部分群ＦＰ２のレンズ形状を規定している。条件式（１４）は像側に凸面を向けたメニスカス形状又は両凸形状であること意味している。条件式（１４）の上限値を超えて第３部分群ＦＰ２の物体側のレンズ面の曲率がきつくなると、望遠端において像面湾曲は良好となるが、広角端において像面湾曲が増大するため好ましくない。具体的には広角端において低い像高にて像面湾曲がアンダー、高い像高にて像面湾曲がオーバーとなる。
【０１０４】
条件式（１４）の下限値を超えて第３部分群ＦＰ２の物体側のレンズ面の曲率が物体側に凹面を向けてきつくなると、広角端において像面湾曲は良くなるが、望遠端において像面湾曲がオーバーになり好ましくない。また、有効径の大きな第３部分群ＦＰ２のレンズ形状が曲率のきついメニスカス形状となると、構造上周辺部にスペースが必要となり、全系が大型化するため好ましくない。
【０１０５】
条件式（１５）は広角端における開口絞りＳＰ１から第１部分群ＦＰ１の物体側のレンズ面までの長さと広角端における開口絞りＳＰ１から結像点までの長さの比を規定している。ここで開口絞りＳＰ１から結像点までの長さを求める際に最終レンズ面から像面までの間に屈折力のないフィルター等があるときは、それらの長さは空気換算した長さである。
【０１０６】
条件式（１５）の上限値を超えて第１部分群ＦＰ１が結像点（像面）に近づくと、第２レンズ群Ｌ２と第１部分群ＦＰ１の間隔が離れる方向である。このため、無限遠から最至近距離までのフォーカシングにおける干渉はなくなるが、第２部分群ＦＮと第３部分群ＦＰ２の間隔が狭まるため、第２部分群ＦＮのフォーカシングに際しての移動量が制限される。この制限を避けようとすると広角端におけるレンズ全長が長くなるため好ましくない。
【０１０７】
条件式（１５）の下限値を超えて第１部分群ＦＰ１が結像点から離れると、無限遠から最至近距離までのフォーカシングにおいて第２レンズ群Ｌ２と第１部分群ＦＰ１が干渉しやすくなるため好ましくない。
【０１０８】
条件式（１６）は広角端における開口絞りＳＰ１から第２部分群ＦＮの物体側のレンズ面までの長さと広角端における開口絞りＳＰ１から結像点までの長さの比を規定している。条件式（１６）の上限値を超えて第２部分群ＦＮが結像点に近づくと、フォーカシングに際して移動する空間の余裕量が少なくなるため好ましくない。また、全系の小型化のためには第２部分群ＦＮの屈折力を強める必要があり、その結果、像面への光束の入射角がきつくなる、あるいは入射角の緩和のために、最終レンズ群（第３部分群ＦＰ２）の屈折力が強くなり、レンズ群厚が厚くなるため好ましくない。
【０１０９】
条件式（１６）の下限値を超えて第２部分群ＦＮが開口絞りＳＰ１に近づくと、フォーカシングに際して移動する空間の余裕は確保できるが、第１レンズ群Ｌ１と開口絞りＳＰ１の対称性が崩れ、コマ収差が多く発生するため好ましくない。
【０１１０】
条件式（１７）はズーミングにおける第１レンズ群Ｌ１の像側へ凸状の軌跡で移動するときの移動量を規定している。条件式（１７）の上限値を超えて第１レンズ群Ｌ１の物体側への移動量が大きくなると、望遠端におけるレンズ全長が長くなるため好ましくない。条件式（１７）の下限値を超えて第１レンズ群Ｌ１の像側への移動量が大きくなると、広角端にてレンズ全長が長くなり、前玉有効径が大きくなるため好ましくない。
【０１１１】
条件式（１８）第１レンズ群Ｌ１の最も物体側のレンズの材料の屈折率を規定している。条件式（１８）の上限値を超えて屈折率が大きくなると、現存する硝材料ではアッベ数が小さい硝材となり、色消しをするための第１レンズ群Ｌ１内の正レンズの硝材が少なくなり、色消しが困難となるため好ましくない。条件式（１８）の下限値を超えて屈折率が小さくなると、色消しするための硝材は多く存在するが、屈折率が低くなるため、前玉有効径の大きさが大きくなり、好ましくない。
【０１１２】
なお、各実施例において、好ましくは、条件式（２）乃至（１８）の数値範囲を次の如くするのが良い。
【０１１３】
−０．８５＜ＭｆＦＰ１／ＭｆＦＮ＜−０．０５  ・・・（２ａ）
−１．５０＜ｆＰ１／ｆＮ＜−０．４０          ・・・（３ａ）
−１．９０＜ｆＰ２／ｆＮ＜−０．５５          ・・・（４ａ）
０．５０＜ｆＰ２／ｆＰ１＜１．００            ・・・（５ａ）
０．１５＜ＤＷ４／ｆＷ＜０．９０              ・・・（６ａ）
０．２０＜ＤＷ２／ｆＷ＜０．８０              ・・・（７ａ）
−１．３０＜ｆ１／ｆ２＜−０．６５            ・・・（８ａ）
−１．３０＜Ｍ１／ｆＷ＜−０．３０            ・・・（９ａ）
１．０１＜Ｍ２／ＭＦＰ１＜１．４０            ・・・（１０ａ）
−１１．００＜ＭＦＮ／ＭＦＰ２＜−２．５０    ・・・（１１ａ）
１．００５＜（ＦＮＲ２＋ＦＮＲ１）／（ＦＮＲ２−ＦＮＲ１）＜１２．０００
・・・（１２ａ）
０．５０＜（ＦＰ１Ｒ２＋ＦＰ１Ｒ１）／（ＦＰ１Ｒ２−ＦＰ１Ｒ１）＜４．５０
・・・（１３ａ）
０．２５＜（ＦＰ２Ｒ２＋ＦＰ２Ｒ１）／（ＦＰ２Ｒ２−ＦＰ２Ｒ１）＜２．００
・・・（１４ａ）
０．０８＜ＤＳＰ１／ＤＳＩＰ＜０．５０        ・・・（１５ａ）
０．２５＜ＤＳＮ／ＤＳＩＰ＜０．６５          ・・・（１６ａ）
−０．４０＜Ｍ１ａ／Ｍ１ｂ＜０．００          ・・・（１７ａ）
１．９３０＜Ｇ１Ｎｄ＜２．０３０              ・・・（１８ａ）
【０１１４】
また、更に好ましくは条件式（２ａ）乃至（１８ａ）の数値範囲を次の如く設定すると、先に述べた各条件式が意味する効果を最大限に得られる。
【０１１５】
−０．７０＜ＭｆＦＰ１／ＭｆＦＮ＜−０．１０  ・・・（２ｂ）
−１．３０＜ｆＰ１／ｆＮ＜−０．４５          ・・・（３ｂ）
−１．８５＜ｆＰ２／ｆＮ＜−０．６０          ・・・（４ｂ）
０．６０＜ｆＰ２／ｆＰ１＜０．９０            ・・・（５ｂ）
０．２０＜ＤＷ４／ｆＷ＜０．８０              ・・・（６ｂ）
０．２５＜ＤＷ２／ｆＷ＜０．６０              ・・・（７ｂ）
−１．２０＜ｆ１／ｆ２＜−０．７０            ・・・（８ｂ）
−１．２５＜Ｍ１／ｆＷ＜−０．３３            ・・・（９ｂ）
１．０２＜Ｍ２／ＭＦＰ１＜１．３０            ・・・（１０ｂ）
−１０．３０＜ＭＦＮ／ＭＦＰ２＜−３．００    ・・・（１１ｂ）
１．０１＜（ＦＮＲ２＋ＦＮＲ１）／（ＦＮＲ２−ＦＮＲ１）＜９．５０
・・・（１２ｂ）
０．７０＜（ＦＰ１Ｒ２＋ＦＰ１Ｒ１）／（ＦＰ１Ｒ２−ＦＰ１Ｒ１）＜４．００
・・・（１３ｂ）
０．３０＜（ＦＰ２Ｒ２＋ＦＰ２Ｒ１）／（ＦＰ２Ｒ２−ＦＰ２Ｒ１）＜１．６５
・・・（１４ｂ）
０．１０＜ＤＳＰ１／ＤＳＩＰ＜０．４５        ・・・（１５ｂ）
０．３０＜ＤＳＮ／ＤＳＩＰ＜０．６０          ・・・（１６ｂ）
−０．３８５＜Ｍ１ａ／Ｍ１ｂ＜０．００        ・・・（１７ｂ）
１．９５０＜Ｇ１Ｎｄ＜２．０１０              ・・・（１８ｂ）
【０１１６】
各実施例では以上のように各要素を構成することにより、全系が小型で高い光学性能を有しながら、最至近距離へのフォーカシングが容易なズームレンズを得ている。ネガティブリードのズームレンズにおいて第１レンズ群の有効径の小型化を狙う場合、負の屈折力の第１レンズ群Ｌ１の屈折力は強くなるため、第１レンズ群を３枚のレンズ構成とするのが良い。
【０１１７】
小型化のためにはレンズ枚数を少なくした負レンズ、正レンズの２枚のレンズ構成が考えられる。しかし、コンパクト化のために第１レンズ群の屈折力を強くすると、負レンズの曲率がきつくなる。また球面収差、像面特性を良好とするために２枚のレンズ間の間隔も必要となることから、２枚のレンズ構成としても第１レンズ群の厚みはある程度、必要になる。そのため、第１レンズ群内の負レンズの屈折力を分割し、負レンズを２枚にすることで光学性能を良好に維持しつつ、径方向の大きさを小さくすることが容易となる。
【０１１８】
諸収差を良好に補正するには、第１レンズ群Ｌ１を物体側より像側へ順に、負レンズ１１、負レンズ１２、正レンズ１３の３枚のレンズから構成することが好ましい。また、最も物体側の負レンズ１１は高屈折率材料を採用し、負レンズ１１よりもレンズ径の小さくなる負レンズ１２のレンズ面を非球面化することで、非球面の加工難度も易くなり、全系の小型化を図りつつ、高い光学性能を得ることができる。
【０１１９】
また、第１レンズ１１は像側の面を凹面としたメニスカス形状とするのが良い。負の屈折力の第２部分群ＦＮを像側に凸面を向けたメニスカス形状の単一のレンズとすることにより、負の屈折力の第１レンズＬ１と開口絞りＳＰ１に対して対称形状として、コマ収差を良好に補正している。
【０１２０】
第２レンズ群Ｌ２は正の屈折力を有することが望ましい。広角端において、軸上光束は負の屈折力の第１レンズ群Ｌ１を通過すると発散光束となるが、第１レンズ群Ｌ１に続く後群の最も物体側に位置するレンズ群を正の屈折力として、光束に対して収斂作用を持たせ、後群のレンズ有効径を小さくしている。
【０１２１】
また、第２レンズ群Ｌ１は物体側より像側へ順に、正レンズ２１、正レンズ２２、負レンズ２３を有する構成とし、正レンズ２１が非球面形状のレンズ面を有することが望ましい。有効径の大きくなる最も物体側の正レンズ２１を非球面形状のレンズ面を有することにより、球面収差やコマ収差を全ズーム領域にて良好に補正することを容易にしている。また第３レンズ群は１枚の正レンズより構成するのが良い。
【０１２２】
広角端から望遠端へのズーミングに際し、第２レンズ群Ｌ２、第１部分群ＦＰ１、第２部分群ＦＮはいずれも物体側に移動する。また、広角端から望遠端へのズーミングに際して、第３部分群ＦＰ２は像側へ移動する。これによれば、高い変倍比を効果的に得ることができる。
【０１２３】
次に本発明のズームレンズを撮像光学系として用いたデジタルカメラ（光学機器）の実施形態を、図１９を用いて説明する。図１９において、２０はデジタルカメラ本体、２１は上述の各実施例のズームレンズによって構成された撮像光学系、２２は撮像光学系２１によって被写体像を受光するＣＣＤ等の撮像素子、２３は撮像素子２２が受光した被写体像を記録する記録手段である。２４は不図示の表示素子に表示された被写体像を観察するためのファインダーである。
【０１２４】
上記表示素子は液晶パネル等によって構成され、撮像素子２２上に形成された被写体像が表示される。２４はファインダーと同等の機能を有する液晶表示パネルである。
【０１２５】
このように本発明のズームレンズをデジタルカメラ等の撮像装置に適用することにより、小型で高い光学性能を有する撮像装置を実現している。
【０１２６】
次に、本発明の実施例１乃至６に対応する数値データ１乃至６を示す。各数値データにおいて、ｉは物体側からの面の順序を示し、ｎｄｉ、ｒｉはレンズ面の曲率半径、ｄｉは第ｉ面と第ｉ＋１面との間のレンズ肉厚および空気間隔、ｎｄｉ、νｄｉはそれぞれｄ線に対する屈折率、アッベ数を示す。数値データ３、４において間隔の値に「−」符号が付しているのは物体面から開口絞り、レンズの順に数えたためである。
【０１２７】
また、最も像側の２面はフェースプレート等のガラス材である。また、ｋは円錐定数、Ａ４、Ａ６、Ａ８、Ａ１０は非球面係数である。非球面形状は光軸からの高さｈの位置での光軸方向の変位を面頂点を基準にしてｘとするとき、
ｘ＝（ｈ2／Ｒ）／［１＋｛１−（１＋ｋ）（ｈ／Ｒ）2｝1/2］＋Ａ４ｈ4＋Ａ６ｈ6＋Ａ８ｈ8＋Ａ１０ｈ10
で表される。但しＲは近軸曲率半径である。
【０１２８】
なお、数値の「Ｅ±ＸＸ」は「×１０±ＸＸ」を意味している。また、各光学面の間隔ｄが（可変）となっている部分は、ズーミングに際して変化するものであり、別表に焦点距離に応じた面間隔を記している。尚、以下に記載する数値データ１乃至６のレンズデータに基づく、各条件式の計算結果を表１Ａ、表１Ｂに示す。 
【０１２９】
［数値データ１］
単位 mm
面データ
面番号       r        d      nd         νd 
1         76.577    0.85   1.95375    32.3
2         15.499    4.26                 
3*        65.924    1.40   1.53160    55.8
4*        28.208    0.15                  
5         21.601    2.24   1.95906    17.5
6         43.976  (可変)                  
7(絞り)(SP1)∞     (可変)                  
8*        13.639    2.21   1.69350    53.2
9*      -182.217    1.11                  
10         20.617    3.08   2.00100    29.1
11        -11.603    0.60   1.85478    24.8
12          8.846    2.00                  
13(SP2)     ∞     (可変)                   
14        328.008    2.08   1.74330    49.3
15*       -26.016    2.70                  
16        -25.700    0.70   1.83400    37.2
17        -77.285  (可変)                  
18       -340.267    3.60   1.53160    55.8
19*       -24.859  (可変)                  
20          ∞       1.30   1.51633    64.1
21          ∞       0.50                  
像面        ∞   
【０１３０】
非球面データ
第3面
K = 0.00000e+000  A 4=-1.01756e-005  A 6=-2.37078e-007  A 8= 9.83465e-010  
第4面
K = 0.00000e+000  A 4=-2.29560e-005  A 6=-2.67140e-007  A 8= 1.06706e-009  A10=-1.01510e-013  
第8面
K = 0.00000e+000  A 4=-6.93027e-005  A 6=-3.22498e-007  A 8=-5.41392e-009  
第9面
K = 0.00000e+000  A 4= 2.49446e-005  
第15面
K = 0.00000e+000  A 4= 4.40364e-007  A 6=-3.52863e-008  A 8=-3.87550e-010  
第19面
K = 0.00000e+000  A 4= 5.62098e-005  A 6=-1.45256e-007  A 8= 2.55362e-010  
【０１３１】
各種データ
ズーム比     2.83 
広角端    中間１   中間２   望遠端
焦点距離      15.45    22.75    26.04    43.70  
Fナンバー      2.89     3.60     4.00     5.77  
半画角（度）  38.02    30.56    27.29    17.09  
レンズ全長    69.79    66.41    66.81    75.34  
BF             8.65     7.97     7.57     4.69  
d 6           20.96    10.52     7.89     2.02  
d 7            1.99     1.93     1.79     0.10  
d13            5.48     6.63     7.18    10.31  
d17            5.72    12.38    15.40    31.23  
d19            7.30     6.61     6.21     3.33  
【０１３２】
至近フォーカス時（面番号1から物点までの距離）
50ｍｍ  80ｍｍ    80ｍｍ    200ｍｍ
d 6           20.96    10.52     7.89     2.02  
d 7            1.99     1.93     1.79     0.10  
d13            3.87     5.85     6.23     9.10  
d15            7.70     9.03    10.13     7.20  
d17            2.33     6.83     8.92    27.94  
d19            7.30     6.61     6.21     3.33  
d21            0.50     0.50     0.50     0.50  
群  始面    焦点距離 
1    1     -29.09
2    8      25.47
3   14      91.30
4   18      50.25
【０１３３】
［数値データ２］
単位 mm
面データ
面番号       r        d      nd         νd 
1         74.111    0.85   2.00100    29.1
2         15.977    4.79                  
3*        61.391    1.20   1.58573    59.7
4*        25.653    0.56                  
5         23.402    2.60   1.95906    17.5
6         58.274  (可変)                  
7(絞り)(SP1)∞     (可変)                  
8*        15.590    3.00   1.76802    49.2
9*      -144.212    1.79                  
10         21.549    2.60   1.95375    32.3
11        -17.690    0.60   1.85478    24.8
12         10.031    2.74                 
13(SP2)     ∞     (可変)                 
14        -59.298    1.20   1.95375    32.3
15        -21.585    3.65                 
16        -20.917    1.55   1.67300    38.1
17        -13.219    0.50   1.72825    28.5
18        -49.907  (可変)                  
19       1551.093    4.00   1.77250    49.5
20*       -32.506  (可変)                  
21          ∞       1.30   1.51633    64.1
22          ∞       0.50                  
像面        ∞   
【０１３４】
非球面データ
第3面
K = 0.00000e+000  A 4=-2.29628e-005  A 6= 2.45167e-008  A 8=-3.64727e-010  A10= 1.13474e-012  
第4面
K = 0.00000e+000  A 4=-3.90911e-005  A 6= 2.88273e-008  A 8=-7.44512e-010  A10= 2.53874e-012  
第8面
K =-1.41037e-002  A 4=-3.75568e-005  A 6=-1.22940e-007  A 8= 1.34745e-010  
第9面
K = 0.00000e+000  A 4= 1.58555e-005  
第20面
K = 0.00000e+000  A 4= 2.25597e-005  A 6=-3.57346e-008  A 8= 3.62029e-011  
【０１３５】
各種データ
ズーム比     2.83 
広角端    中間１   中間２    望遠端
焦点距離      15.45    21.71    26.07    43.70  
Fナンバー      2.88     3.50     4.00     5.77  
半画角（度）  38.01    31.75    27.26    17.09  
レンズ全長    73.53    70.70    71.46    81.81  
BF             9.53     9.28     9.04     6.94  
d 6           22.91    11.98     7.61     2.09  
d 7            0.00     1.42     1.92     0.10  
d13            4.02     4.37     4.71     6.70  
d18            5.44    12.01    16.55    34.35  
d20            8.18     7.93     7.68     5.58  
【０１３６】
至近フォーカス時（面番号1から物点までの距離）
50ｍｍ  80ｍｍ    80ｍｍ    200ｍｍ
d 6           22.91    11.98     7.61     2.09  
d 7            0.00     1.42     1.92     0.10  
d13            2.28     3.59     3.69     5.45  
d15            8.75     9.53    10.96     8.09  
d18            2.09     6.91    10.26    31.16  
d20            8.18     7.93     7.68     5.58
d22            0.50     0.50     0.50     0.50  
群  始面    焦点距離
1    1     -29.13
2    8      26.77
3   14     112.97
4   19      41.26
【０１３７】
［数値データ３］
単位 mm
面データ
面番号       r        d      nd         νd 
1        115.898    1.00   1.95375    32.3
2         16.600    5.00                   
3*       282.648    1.20   1.58573    59.7
4*        24.916    0.30                 
5         22.736    2.70   1.95906    17.5
6         53.461  (可変)                  
7(SP2)     ∞     (可変)                  
8*        19.620    3.65   1.85135    40.1
9*      -102.233    2.00                  
10         26.476    3.60   1.88300    40.8
11        -29.098    0.60   1.85478    24.8
12         12.091    3.47                  
13(絞り)(SP1)∞     (可変)                 
14        -86.525    0.70   1.68893    31.1
15         16.587    3.20   1.88300    40.8
16        -27.502  (可変)                  
17*       -34.234    1.00   1.69350    53.2
18       -295.311  (可変)                  
19         58.601    4.90   1.53160    55.8
20*       -31.375  (可変)                 
21          ∞       1.30   1.51633    64.1
22          ∞       0.50                  
像面        ∞   
【０１３８】
非球面データ
第3面
K = 0.00000e+000  A 4= 1.63022e-005  A 6=-1.86018e-008  A 8=-1.33443e-010  
第4面
K = 0.00000e+000  A 4= 6.64320e-006  A 6=-4.89576e-008  A 8=-1.46214e-010  
第8面
K =-1.41037e-002  A 4=-2.21133e-005  A 6=-2.45947e-008  
第9面
K = 0.00000e+000  A 4= 5.90844e-006  
第17面
K = 0.00000e+000  A 4=-2.18571e-005  A 6= 7.39569e-008  A 8=-2.84554e-009  
第20面
K = 0.00000e+000  A 4= 3.00769e-005  A 6=-2.40015e-008  A 8= 2.87542e-011  
【０１３９】
各種データ
ズーム比     2.85 
広角端    中間１   中間２    望遠端
焦点距離      15.45    16.16    26.00    44.00  
Fナンバー      2.06     2.20     3.50     5.78  
半画角（度）  38.01    39.73    27.33    16.98  
レンズ全長    76.88    76.85    81.58    95.60  
BF             9.44     9.38     7.95     4.70  
d 6           16.71    15.80     8.48     2.45  
d 7            1.25     1.07    -0.58    -0.93  
d13            3.89     4.03     5.72     7.60  
d16            4.54     4.71     6.89    10.00  
d18            7.72     8.53    19.80    38.45  
d20            8.09     8.02     6.59     3.34  
【０１４０】
至近フォーカス時（面番号1から物点までの距離）
50ｍｍ  80ｍｍ    80ｍｍ    200ｍｍ
d 6           16.71    15.80     8.48     2.45  
d 7            1.25     1.07    -0.58    -0.93  
d13            2.17     3.54     4.65     5.99  
d16           10.24     9.42    15.29    15.32  
d18            3.74     4.31    12.47    34.74  
d20            8.09     8.02     6.59     3.34
d22            0.50     0.50     0.50     0.50  
群  始面    焦点距離
1    1     -22.00
2    8      29.70
3   14      27.95
4   17     -55.92
5   19      39.18
【０１４１】
［数値データ４］
単位 mm
面データ
面番号       r        d      nd         νd 
1        117.391    1.00   2.00100    29.1
2         19.846    5.00                  
3*       332.714    1.20   1.58573    59.7
4*        40.910    0.30                 
5         28.763    2.80   1.95906    17.5
6         76.299  (可変)                  
7(SP2)     ∞     (可変)                  
8*        19.647    4.09   1.85135    40.1
9*      -150.119    1.58                  
10         23.758    3.36   1.88300    40.8
11        -41.943    0.90   1.85478    24.8
12         11.832    3.47                  
13(絞り)(SP1)∞     (可変)                 
14        -80.896    1.00   1.69895    30.1
15         22.724    3.42   1.88300    40.8
16        -30.315  (可変)                  
17*       -23.402    1.00   1.69350    53.2
18*       -91.963  (可変)                  
19        232.943    5.20   1.59201    67.0
20*       -28.000  (可変)                  
21          ∞       1.30   1.51633    64.1
22          ∞       0.50                 
像面        ∞   
【０１４２】
非球面データ
第3面
K = 0.00000e+000  A 4=-2.76034e-008  A 6= 4.26310e-008  A 8=-5.96223e-011  
第4面
K = 0.00000e+000  A 4=-2.80012e-006  A 6= 4.34912e-008  A 8=-1.02259e-010  
第8面
K =-1.41037e-002  A 4=-1.78164e-005  A 6=-2.62673e-008  
第9面
K = 0.00000e+000  A 4= 3.57156e-006  
第17面
K = 0.00000e+000  A 4= 3.78072e-005  A 6= 3.12691e-007  A 8=-2.44431e-009  
第18面
K = 0.00000e+000  A 4= 4.87963e-005  A 6= 1.83684e-007  A 8=-1.36312e-009  
第20面
K = 0.00000e+000  A 4= 2.07848e-005  A 6=-4.32159e-008  A 8= 5.20787e-011  
【０１４３】
各種データ
ズーム比     2.83 
広角端    中間１   中間２    望遠端
焦点距離      17.90    25.26    30.07    50.67  
Fナンバー      2.06     2.52     3.00     5.05  
半画角（度）  34.01    28.00    24.07    14.85  
レンズ全長    84.12    81.28    81.95    90.36  
BF            11.77    10.85    10.11     6.43  
d 6           23.02    13.73    10.20     2.00  
d 7            1.98     0.57    -0.08    -0.99  
d13            3.61     5.55     6.65     9.99  
d16            2.70     4.62     5.80    10.00  
d18            6.72    11.63    14.94    28.61  
d20           10.41     9.49     8.76     5.08  
【０１４４】
至近フォーカス時（面番号1から物点までの距離）
50ｍｍ  80ｍｍ    80ｍｍ    200ｍｍ
d 6           23.02    13.73    10.20     2.00  
d 7            1.98     0.57    -0.08    -0.99  
d13            1.56     4.56     5.34     8.20  
d16            8.52    12.22    15.68    16.72  
d18            2.96     5.03     6.36    23.68  
d20           10.41     9.49     8.76     5.08  
d22            0.50     0.50     0.50     0.50  
群  始面    焦点距離
1    1     -31.71
2    8      30.40
3   14      34.72
4   17     -45.53
5   19      42.54
【０１４５】
［数値データ５］
単位 mm
面データ
面番号       r        d      nd         νd 
1         72.579    0.70   2.00100    29.1
2         20.326    4.50                  
3*       -74.405    1.20   1.58313    59.4
4*        49.343    0.88                  
5         23.291    2.10   1.95906    17.5
6         44.181  (可変)                  
7(絞り)(SP1)∞     (可変)                  
8*        18.232    3.00   1.77250    49.5
9*       -85.005    1.60                   
10         25.246    2.80   1.95375    32.3
11        -17.363    0.60   1.85478    24.8
12         12.242    2.74                  
13(SP2)     ∞     (可変)                  
14        148.748    2.10   1.88300    40.8
15        -25.477  (可変)                 
16        -16.543    0.70   1.83400    37.2
17      -2056.249  (可変)                  
18*       417.602    5.40   1.59201    67.0
19*       -22.351  (可変)                  
20          ∞       1.30   1.51633    64.1
21          ∞       0.50                 
像面        ∞   
【０１４６】
非球面データ
第3面
K = 0.00000e+000  A 4= 6.84946e-005  A 6=-9.84114e-007  A 8= 7.17643e-009  A10=-1.96317e-011  
第4面
K = 0.00000e+000  A 4= 8.36427e-005  A 6=-1.00679e-006  A 8= 7.93824e-009  A10=-2.23888e-011  
第8面
K =-1.41037e-002  A 4=-3.34581e-005  A 6=-1.03774e-007  A 8= 1.69118e-010  
第9面
K = 0.00000e+000  A 4= 9.20213e-006  
第18面
K = 0.00000e+000  A 4=-8.59285e-006  
第19面
K = 0.00000e+000  A 4= 3.27888e-005  A 6=-6.39636e-008  A 8= 1.13443e-010  
【０１４７】
各種データ
ズーム比     2.83 
広角端    中間１   中間２    望遠端
焦点距離      17.92    24.54    30.03    50.67  
Fナンバー      2.88     3.50     4.00     5.77  
半画角（度）  33.98    28.70    24.10    14.85  
レンズ全長    73.73    71.59    72.47    82.15  
BF             7.74     7.70     7.56     5.19  
d 6           21.54    12.59     8.20     2.14  
d 7            0.00     0.87     1.30     0.86  
d13            7.83     8.38     8.90    11.09  
d15            4.51     4.90     5.18     5.78  
d17            3.78     8.81    13.01    28.77  
d19            6.38     6.34     6.20     3.83  
【０１４８】
至近フォーカス時（面番号1から物点までの距離）
50ｍｍ  80ｍｍ    80ｍｍ    200ｍｍ
d 6           21.54    12.59     8.20     2.14  
d 7            0.00     0.87     1.30     0.86  
d13            6.62     7.90     8.30    10.41  
d15            7.63     8.01     8.94     8.00  
d17            1.87     6.19     9.85    27.23  
d19            6.38     6.34     6.20     3.83  
d21            0.50     0.50     0.50     0.50  
群  始面    焦点距離
1    1     -29.12
2    8      26.27
3   14      24.77 
4   16     -20.00
5   18      36.00
【０１４９】
［数値データ６］
単位 mm
面データ
面番号       r        d      nd         νd 
1        230.579    0.70   1.95375    32.3
2         18.261    4.50                 
3       -316.966    1.20   1.58313    59.4
4*       100.965    1.20                  
5         28.470    1.90   1.98738    16.4
6         58.052  (可変)                  
7(絞り)(SP1)∞     (可変)                  
8*        15.913    3.20   1.76802    49.2
9*      -154.619    1.90                  
10         19.458    2.30   1.91082    35.3
11        -61.067    0.60   1.85478    24.8
12         10.431    2.74                   
13(SP2)     ∞     (可変)                  
14        -32.868    1.00   1.80400    46.6
15        -19.220    3.04                  
16        -14.129    0.70   1.68893    31.1
17        -17.542  (可変)                  
18       -122.530    2.80   1.53160    55.8
19*       -28.770  (可変)                 
20          ∞       1.30   1.51633    64.1
21          ∞       0.50                 
像面        ∞   
【０１５０】
非球面データ
第4面
K = 0.00000e+000  A 4=-3.58677e-006  A 6= 4.41917e-008  A 8=-4.79957e-010  A10= 1.60314e-012  
第8面
K =-1.41037e-002  A 4=-2.53994e-005  A 6=-2.06589e-008  A 8=-2.25174e-010  
第9面
K = 0.00000e+000  A 4= 1.51133e-005  
第19面
K = 0.00000e+000  A 4= 3.59260e-005  A 6=-4.01298e-008  A 8=-1.00406e-011  
【０１５１】
各種データ
ズーム比     2.83 
広角端    中間１   中間２    望遠端
焦点距離      17.92    25.27    30.36    50.67  
Fナンバー      2.88     3.53     4.00     5.77  
半画角（度）  33.98    27.99    23.87    14.85  
レンズ全長    76.23    73.86    74.60    84.25  
BF             9.18     7.65     6.94     4.70  
d 6           23.63    12.63     8.14     1.83  
d 7            0.00     1.47     1.94     0.00  
d13            2.50     3.09     3.35     3.43  
d17           13.14    21.24    26.45    46.50  
d19            7.82     6.29     5.58     3.34  
【０１５２】
至近フォーカス時（面番号1から物点までの距離）
100ｍｍ  120ｍｍ   120ｍｍ  250ｍｍ
d 6           23.63    12.63     8.14     1.83  
d 7            0.00     1.47     1.94     0.00  
d13            1.34     2.10     2.05     2.37  
d15            9.53    12.62    15.32    13.09  
d17            7.80    12.64    15.47    37.51  
d19            7.82     6.29     5.58     3.34  
d21            0.50     0.50     0.50     0.50  
群  始面    焦点距離
1    1     -29.14
2    8      27.56
3   14     107.46
4   18      70.00
【０１５３】
【表１Ａ】
2018005165.tif 000003
【０１５４】
【表１Ｂ】
2018005165.tif 000004
【符号の説明】
【０１５５】
Ｌ０  ズームレンズ    Ｌ１  第１レンズ群    Ｌ２  第２レンズ群
ＦＰ１  第１部分群    ＦＮ  第２部分群    ＦＰ２  第３部分群
【図１】
2018005165.tif 000005
【図２】
2018005165.tif 000006
【図３】
2018005165.tif 000007
【図４】
2018005165.tif 000008
【図５】
2018005165.tif 000009
【図６】
2018005165.tif 000010
【図７】
2018005165.tif 000011
【図８】
2018005165.tif 000012
【図９】
2018005165.tif 000013
【図１０】
2018005165.tif 000014
【図１１】
2018005165.tif 000015
【図１２】
2018005165.tif 000016
【図１３】
2018005165.tif 000017
【図１４】
2018005165.tif 000018
【図１５】
2018005165.tif 000019
【図１６】
2018005165.tif 000020
【図１７】
2018005165.tif 000021
【図１８】
2018005165.tif 000022
【図１９】
2018005165.tif 000023